(57)【要約】【課題】多くの介護施設ではシーツ交換は患者をベッドの端へ移動させ半分ずつシーツを交換する方法が用いられているが、患者を移動させるため介護をする当事者には非常に重労働であり腰痛や腱鞘炎などを患うことが多い。【解決手段】患者の体は概ね頭部と胴部及び足部の三部位に分けられ頭部と足部は片手又は両手で持ち上げられる為に、頭部と足部のシーツは容易に手繰り寄せ敷く事が出来るが、胴部は重量がある為持ち上げられずシーツ交換は困難である。本発明は胴部の片側を少し浮かして回転可能なローラーにより構成された帯状のプレートでシーツを挟み上下一対を重ねシーツを引き寄せる事によりローラーが上下逆方向に回転し患者とマットの間をプレートとシーツが移動し、古いシーツを抜き取る事ができ、抜いたプレートの間に新しいシーツを挟み反対側から新しいシーツを引く事により胴部のシーツ交換を容易にする。【選択図】  図１
2008099759.tif 000002
【特許請求の範囲】
【請求項１】
患者と敷布とマットにおいて、円柱状のパイプと両端にベアリングを有するハブによって構成された複数の回転自在なローラーを連結リンクと連結ピンにより連接し屈曲自在な帯状に繋ぎ合わせたローラープレートを敷布の上部と下部の一対一組として単独又は複数組使用し、マットと敷布の間と敷布と患者の間に挿しいれ、敷布交換することを特徴とする敷布交換補助装置。
【請求項２】
患者と敷布とマットと該敷布交換補助装置において、患者の体側から交換される敷布の上面と下面に該装置のローラープレートを差し込み反対側から交換される敷布を引き寄せることにより患者とマットの間をローラープレートと交換される敷布が移動し、敷布の端が患者の体を過ぎた時点で交換される敷布を抜き取り、抜いたプレートの間に交換する敷布を挟み反対側から交換する敷布を引くことにより該プレートが往復し敷布交換をする方法。
【請求項３】
患者と敷布とマットと該敷布交換補助装置において、交換される敷布の側端と交換する敷布の側端を結合または重ね合せて敷布を連続させ患者の体側から交換される敷布の上面と下面に該装置のローラープレートを差し込み反対側から敷布を引き寄せることによりローラーが上下逆方向に回転し患者とマットの間をプレートと敷布が移動し、交換される敷布を取り出した後に交換する敷布を引いて該プレートが一方向へ移動し敷布交換をする方法。
【請求項４】
該敷布交換補助装置をベッドに具備したことを特徴とする敷布交換補助装置付ベッド。
【請求項５】
該敷布交換補助装置を折り曲げ或いは分割し携帯可能な形状とした携行可能敷布交換装置。
【請求項６】
敷布を分割可能に接合でき他の敷布とも接合できること、敷布を引きやすくするための引き手を有すること、敷布を補強すること、いずれか或いは全てを特徴とする敷布交換補助装置用敷布。
【発明の詳細な説明】
【技術分野】
【０００１】
本発明は、敷布交換補助装置に関するものであり敷布とは人体と床やマットの間に敷かれる汚れの防止、保温、消臭、濡れ防止を目的とした平らな薄板状のものであり一般にはシーツ、毛布、防水シート、ゴムマットなどである以下明細書においてはシーツとして説明する。
【背景技術】
【０００２】
従来の技術として人体用リフターの下記特許文献１が既に知られている。装置が大型で特殊なベッドを必要とし又、患者とベッドの間に挿入するバンドの一端を巻上げて浮上させる為に患者の体重がベルトに掛かり患者の患部を刺激しかねない。本発明は既存のベッド及び畳上のマットにおいて使用可能であり浮上させるものでないため落下などの危険もなく下記特許文献１とは異なる。
【０００３】
従来の技術として介護用ベッドの下記特許文献２が既に知られている。ベッドの側面に取り付けられたリフトバーが上下するものであるがベッドに加工が必要であり、特殊なベッドを必要としない本発明とは異なる。
【０００４】
従来の技術として介護用移載装置の下記特許文献３が既に知られている。ベッド上の患者をストレッチャーに移載しベッドのシーツを取り替えて患者を元に戻すものでありシーツを上部ローラープレートと下部ローラープレートの間に挟み人力でシーツを交換し患者が移動しない本発明とは異なる。
【０００５】
【特許文献１】特開２０００−２１０３４６
【特許文献２】特開平０９−０１９４６２
【特許文献３】特開２００４−０００５３２
【発明の開示】
【発明が解決しようとする課題】
【０００６】
従来の技術で表記した様に従前までは、シーツ交換を補助する装置として特殊なベッドやベッドに特別な加工が必要であり広く使われる事は無かった。またクレーン式の患者の吊り上げ装置も存在するがシーツ交換の為には装置が大きく使用されることが敬遠されている。多くの病院や介護施設においてのシーツ交換にはベッド上で患者を半分ずつ移動させる方法が行われている。この方法は患者をベッドの長尺方向の一端に移動させる為、患者が転落する可能性がありベッドに転落防止用の柵を取付ける必要がある。又患者は左右に一往復させられ移動量が多く時間も掛かり患者の負担が大きい。患者を介護する側にも
患者を左右に移動させることは重労働であり腰痛や腱鞘炎の一因となる。病院や介護施設の職員が腰痛や腱鞘炎などにより欠員が出来ると、他の職員がより多くのシーツ交換を行うことになり腰痛や腱鞘炎になる可能性が高くなり、悪循環となる。シーツ交換が重労働だとなると患者も介護者に気を遣いシーツ交換を要請する間隔が長くなり不衛生な状態となる。本発明が解決しようとする課題は、シーツ交換における重労働、長時間を解消しベッドを選ばず一般家庭でも使用できる、操作の簡単なシーツ交換補助装置を安価に提供することが課題である。
【課題を解決するための手段】
【０００７】
上記課題を解決する為には、介護者により患者の体を浮上させることが必要となるが、患者の体全体を持ち上げる事は困難である。しかしながら患者の頭部及び足部はわずかに浮上させることは困難ではなく患者の頭部及び足部に敷かれたシーツ交換は安易にすることが出来る。よって患者の胴部に敷かれたシーツをどのように交換することが課題を解決する手段の重要な部分となる。本発明においては、胴部の一方を少し浮かせて、回転可能な複数のローラーを屈曲自在なリンクにより帯状に繋ぎ合わせたプレートをシーツとマットの間に一枚、シーツと患者の間に一枚差し入れ少し浮かせていた患者の胴部を下げプレートを差し入れた反対側からシーツを引くと患者の胴部重量により押し付けられたローラーが回転して患者とマットの間を上下のプレートがシーツの引かれた方向に移動する。プレートが移動しシーツの端が患者の胴部とマットの間を通過するとプレートは静止し古いシーツを抜き取ることができる。プレートが静止した状態で新しいシーツをプレートの間に挟みこみ反対側からシーツを引くとローラーが回転しプレートが逆方向に移動し新しいシーツが患者とマットの間を通過して任意の位置に到達した時点でプレートを抜けば患者の胴部におけるシーツ交換をすることができ、折り曲げたり寄せたりしていた頭部及び足部のシーツを伸ばしてマット全体にシーツを広げて敷き完了するにより解決手段となる。
【発明の効果】
【０００８】
本発明はベッドでの使用を主眼としているが、床に敷かれたマット及び敷布団でも使用でき多くの購買層が見込まれ量産効果により安価提供できる。
【０００９】
本発明は構造が簡単なため患者の身長や体重により仕様の違う物を製作できローラーの幅を短くして二組を一度に使用するなどして様々な患者用のシーツ交換補助装置を提供できる。
【００１０】
本発明の一般的な患者における大きさは、概ね縦４０ｃｍ横７０ｃｍ高さ４ｃｍほどであり屈曲自在に連結されているために、折り曲げると成人女性が片手で持てる程度の大きさとなり交換するシーツと共に持ち運べるため訪問介護などにも容易に携行することが可能となる。
【００１１】
患者を吊り上げるような大規模な装置は患者が恐怖を抱く場合が多々あり患者が装置を拒否することがある。本発明は小型で胴部にて使用されるため患者の眼前に触れる事がなく拒否されにくい。
【００１２】
本発明は構造が簡単で操作が単純ため、高齢者が高齢者の介護をする場合も作業ミスが発生しにくい、また人力で動作させるために停電時でも使用でき大規模災害時でも使用できる。
【００１３】
本発明によるシーツ交換は患者の移動が少なくベッド幅が狭くてもシーツ交換することが可能となる。
【００１４】
本発明におけるシーツ交換は、交換プレートが患者の胴部の下側を左右に往復する一行程で古いシーツを抜き新しいシーツを敷くことができ従前の方法と比較すると作業時間を短縮でき患者と介護者の負担を軽くする事ができる。
【発明を実施するための最良の形態】
【００１５】
最良の形態はマット、シーツ、患者によって構成される。シーツ交換は介護者一人のみでおこなわれる。次に本発明の実施の形態の一つを図面に従い説明する。
【実施例１】
【００１６】
図１はシーツ交換補助装置の概要を斜視図にしたもので各構成部品の位置関係を示す。マット３上に敷かれたシーツ２に患者４を仰向けにマットの長手方向に沿って寝かせた状態で本発明のシーツ交換装置１は使用される。図２はシーツ交換補助装置主要構成斜視図でシーツ交換装置１図１は上部ローラープレート５と下部ローラープレート６の二枚一組で構成されシーツ２を間に挟んで使用する。
【００１７】
図３は上部ローラープレート５又は下部ローラープレート６の斜視図であり回転自在のローラー８と内側連結リンク７及び外側連結リンク９を連結ピン１０により連結し屈曲自在な状態となる。図４は連結部分の断面図でローラー８は、パイプ１７の両端にベアリング１９を有するハブ１８によって構成され回転自在となる。ローラー８のベアリング１９にシャフト１６を通し内側連結リンク７と外側連結リンク９を連結して屈曲自在な状態で固定用クリップ２０にて固定する。シャフト１６と固定用クリップ２０とで図３の連結ピン１０を構成する。
【００１８】
図５はシーツ交換セットアップ斜視図で図６はシーツ交換セットアップ関係図である。介護者が患者胴部１１に片手を差し入れ、一方を少し浮かしシーツ２の下から下部ローラープレート６を差し入れシーツ２の上から部ローラープレート５を差し入れ、患者胴部１１から片手を引き抜き少し浮かした患者胴部１１をおろす。図６においてマット３は便宜上平面であるが実際は患者胴部１１の荷重が加わった部分は、上部ローラープレート５及び下部ローラープレート６はマット３に沈み込んだ状態となる。マット３の沈み込み量は患者胴部１１の重さとマット３の硬さにより異なる為、便宜上本説明では、他の図においてもマット３は平面とする。図６の状態で介護者は上部ローラープレート５及び下部ローラープレート６を差し入れた反対側に移動し患者頭部１３図５を片手で少し浮かせてシーツをもう一方の手で図５の矢印方向Ａに手繰り寄せる、同様に患者足部１４図５も片手で少し浮かせてシーツ２をもう一方の手で図５の矢印方向Ｂに手繰り寄せる図５の状態。患者胴部１１にシーツ２が残った状態で患者胴部１１のシーツ２を図６において左側方向に両手または片手で引く、シーツ２が図６において左側へ引かれると胴部１１の重さで上部ローラープレート５及び下部ローラープレート６のローラー８はシーツ２に押し当てられ上部ローラープレート５のローラー８は右方向に回転し下部ローラープレート６のローラー８は左方向に回転し、上部ローラープレート５と下部ローラープレート６及びシーツ２は左側へ移動し図７の状態となる。
【００１９】
図８はシーツ２の右端が患者胴部１１の下を通過した状態で胴部１１の重量がかからず上部ローラープレート５及び下部ローラープレート６のローラー８はシーツ２に押し当てられず上部ローラープレート５と下部ローラープレート６は静止し古いシーツ２を抜き取ることができる。抜き取った方向から新しいシーツ１５を上部ローラープレート５及び下部ローラープレート６の間に差し入れ図１２の新シーツ交換時セットアップ斜視図となり介護者は反対側へ移動する。
【００２０】
図９では患者頭部１３図１２を片手で少し浮かせて新しいシーツ１５をもう一方の手で図１２の矢印方向Ｃに手繰り寄せる、同様に患者足部１４図１２も片手で少し浮かせてシーツ２をもう一方の手で図１２の矢印方向Ｄに手繰り寄せ図１３の新シーツ引き抜き時斜視図の状態となる。
【００２１】
図１０のシーツ交換補助装置反対方向移動時回転関係図では手繰り寄せた患者頭部１３図１３と患者足部１４図１３のシーツ１５を両手で持ち矢印方向Ｅ・Ｆに引く、シーツ２が図１０において右側へ引かれると患者胴部１１の重さで上部ローラープレート５及び下部ローラープレート６のローラー８はシーツ２に押し当てられ上部ローラープレート５のローラー８は左方向に下部ローラープレート６のローラー８は右方向に回転し、上部ローラープレート５と下部ローラープレート６及びシーツ２は右側へ移動する。
【００２２】
図１１では、上部ローラープレート５と下部ローラープレート６が患者胴部１１の下を通過した状態でシーツ２はマット３と患者１１の間に残り上部ローラープレート５と下部ローラープレート６を外して、シーツを広げマットに端を折り込み患者頭部に枕を置いてシーツ交換終了する。シーツ２の端がマット３の端と揃わない場合は、図８において、差し入れ時シーツ２の端を折り込むか上部ローラープレート５及び下部ローラープレート６を少し戻した状態でシーツを差し入れる。本説明では反対方向に装置が往復するがシーツを新旧連続させて一方向で交換を可能にすることもできる。
【００２３】
大きな体の患者の場合は胴部のシーツ交換補助装置を二組又は、ローラーの長い物を使用する。マットの硬さなどによりローラーの外径を変更したローラープレートを使用する。シーツ交換補助装置はローラーが回転するために長い紐などは巻き込む可能性があり頭部での使用には帽子などが必要となる。
【００２４】
図１５は携行用に分割されたローラープレート２１からなるシーツ交換補助装置であり通常上下ローラープレートは屈曲自在なため小さく折り曲げられ携行可能であるが、さらに連結部のピンを外すなどして分割してより小さなサイズとすることができ携行に便利なのとなり又、ローラープレートの長さが足らない時には使用しない組のブロックを継ぎ足すことにより長さを調節することができる。
【００２５】
図１６はシーツ交換補助装置をベッドに固定し収納スペース２２を有するベッドとしてシーツ交換補助装置付ベッド２３としてシーツ交換を常時可能としたベッドである。
【００２６】
図１７はシーツ交換補助装置においての使用を目的としたシーツ交換補助装置用シーツ２７であり介護者が引きやすいよう引き手２４が付いたもの、シーツとシーツをファスナー２５やホック、凸凹面を有するテープなどで一枚のシーツを複数に分割可能とし他のシーツとも接合できるもの、引き手部や該装置が接触する部分を補強２６された特徴のあるものがある。
【図面の簡単な説明】
【００２７】
【図１】シーツ交換補助装置概要斜視図
【図２】シーツ交換補助装置主要構成斜視図
【図３】シーツ交換補助装置斜視図
【図４】連結部分断面図
【図５】シーツ交換セットアップ時斜視図
【図６】シーツ交換セットアップ関係図
【図７】シーツ交換補助装置移動時回転関係図
【図８】旧シーツ交換時関係図
【図９】新シーツ交換時関係図
【図１０】シーツ交換補助装置反対方向移動時回転関係図
【図１１】シーツ交換完了時関係図
【図１２】新シーツ交換時セットアップ斜視図
【図１３】新シーツ引き抜き時斜視図
【図１４】シーツ交換補助装置フローチャート
【図１５】携行用シーツ交換補助装置
【図１６】シーツ交換補助装置付ベッド
【図１７】シーツ交換補助装置用シーツ
【符号の説明】
【００２８】
１シーツ交換補助装置
２シーツ
３マット
４患者
５上部ローラープレート
６下部ローラープレート
７内側連結リンク
８ローラー（パイプ+ハブ+ベアリング）
９外側連結リンク
１０連結ピン（シャフト+固定用クリップ）
１１患者胴部
１２新シーツ引き抜き用ベルト
１３患者頭部
１４患者足部
１５新しいシーツ
１６シャフト
１７パイプ
１８ハブ
１９ベアリング
２０固定用クリップ
２１分割されたローラープレート
２２シーツ交換補助装置収納スペース
２３シーツ交換補助装置付ベッド
２４引き手
２５ファスナー
２６補強
２７シーツ交換補助装置用シーツ
【図１】
2008099759.tif 000003
【図２】
2008099759.tif 000004
【図３】
2008099759.tif 000005
【図４】
2008099759.tif 000006
【図５】
2008099759.tif 000007
【図６】
2008099759.tif 000008
【図７】
2008099759.tif 000009
【図８】
2008099759.tif 000010
【図９】
2008099759.tif 000011
【図１０】
2008099759.tif 000012
【図１１】
2008099759.tif 000013
【図１２】
2008099759.tif 000014
【図１３】
2008099759.tif 000015
【図１４】
2008099759.tif 000016
【図１５】
2008099759.tif 000017
【図１６】
2008099759.tif 000018
【図１７】
2008099759.tif 000019
【手続補正書】
【提出日】平成19年1月18日(2007.1.18)
【手続補正１】
【補正対象書類名】特許請求の範囲
【補正対象項目名】全文
【補正方法】変更
【補正の内容】
【特許請求の範囲】
【請求項１】
患者が仰臥している敷布が敷かれたマット上において、円柱状のパイプと、両端にベアリングを有するハブによって構成された複数の回転自在なローラーを、連結リンクと連結ピンにより連接し屈曲自在な帯状に繋ぎ合わせたローラープレートを、上記敷布の上部と下部の一対一組として単独又は複数組使用し、上記マットと上記敷布の間及び上記敷布と上記患者の間に差し入れ、敷布交換することを特徴とする敷布交換装置。
【請求項２】
請求項１に記載の敷布交換補助装置をベッドに具備したことを特徴とする敷布交換補助装置付ベッド。
【請求項３】
請求項１に記載の敷布交換補助装置を折り曲げ或いは分割し携帯可能な形状とした携行可能敷布交換装置。
【請求項４】
請求項１に記載の敷布交換補助装置において、敷布を分割可能に接合でき他の敷布とも接合できること、敷布を引きやすくするための引き手を有すること、敷布を補強すること、いずれか或いは全てを特徴とする敷布交換補助装置用敷布。
【手続補正２】
【補正対象書類名】明細書
【補正対象項目名】００１８
【補正方法】変更
【補正の内容】
【００１８】
図５はシーツ交換セットアップ斜視図で図６はシーツ交換セットアップ関係図である。介護者が患者胴部１１に片手を差し入れ、一方を少し浮かしシーツ２の下から下部ローラープレート６を差し入れシーツ２の上から上部ローラープレート５を差し入れ、患者胴部１１から片手を引き抜き少し浮かした患者胴部１１をおろす。図６においてマット３は便宜上平面であるが実際は患者胴部１１の荷重が加わった部分は、上部ローラープレート５及び下部ローラープレート６はマット３に沈み込んだ状態となる。マット３の沈み込み量は患者胴部１１の重さとマット３の硬さにより異なる為、便宜上本説明では、他の図においてもマット３は平面とする。図６の状態で介護者は上部ローラープレート５及び下部ローラープレート６を差し入れた反対側に移動し患者頭部１３図５を片手で少し浮かせてシーツをもう一方の手で図５の矢印方向Ａに手繰り寄せる、同様に患者足部１４図５も片手で少し浮かせてシーツ２をもう一方の手で図５の矢印方向Ｂに手繰り寄せる図５の状態。患者胴部１１にシーツ２が残った状態で患者胴部１１のシーツ２を図６において左側方向に両手または片手で引く、シーツ２が図６において左側へ引かれると胴部１１の重さで上部ローラープレート５及び下部ローラープレート６のローラー８はシーツ２に押し当てられ上部ローラープレート５のローラー８は右方向に回転し下部ローラープレート６のローラー８は左方向に回転し、上部ローラープレート５と下部ローラープレート６及びシーツ２は左側へ移動し図７の状態となる。
【手続補正書】
【提出日】平成19年4月10日(2007.4.10)
【手続補正１】
【補正対象書類名】特許請求の範囲
【補正対象項目名】請求項１
【補正方法】変更
【補正の内容】
【請求項１】
患者が仰臥している敷布が敷かれたマット上において、円柱状のパイプと、両端にベアリングを有するハブによって構成された複数の回転自在なローラーを、連結リンクと連結ピンにより連接し屈曲自在な帯状に繋ぎ合わせたローラープレートを、上記敷布の上部と下部の一対一組として単独又は複数組使用し、上記マットと上記敷布の間及び上記敷布と上記患者の間に差し入れ、敷布交換することを特徴とする敷布交換補助装置。
【手続補正２】
【補正対象書類名】特許請求の範囲
【補正対象項目名】請求項４
【補正方法】変更
【補正の内容】
【請求項４】
請求項１に記載の敷布交換補助装置において用いられる敷布であって、該敷布を分割可能に接合でき他の敷布とも接合できること、敷布を引きやすくするための引き手を有すること、敷布を補強すること、のいずれか或いは全てを特徴とする敷布交換補助装置用敷布。